(57)【要約】【課題】送信側クロックを受信側で高精度に再生可能な伝送システムを提供する。【解決手段】伝送システム１において、送信側装置Ｄ１又はＤ２は、ＧＰＳ衛星からの電波に含まれる基準クロックに基づき所定周波数の第１のサンプリングクロックを生成する送信側クロック生成部と、端末Ｔ１からのデータに重畳されているデータクロックを取り出すクロック抽出部と、第１のサンプリングクロックとデータクロックとの間の差分を求めるクロック差分取得部と、その差分情報をパケット化するパケット生成部とを有し、受信側装置Ｄ２又はＤ１は、ＧＰＳ衛星からの電波に含まれる基準クロックに基づき所定周波数の第２のサンプリングクロックを生成する受信側クロック生成部と、送信側装置からパケット化された差分情報を受信するパケット受信部と、第２のサンプリングクロックと差分情報とに基づきデータクロックを再生するクロック再生部とを有する。【選択図】図１
2010062703.tif 000002
【特許請求の範囲】
【請求項１】
データを送信する送信側装置と、該送信側装置からデータを受信する受信側装置とを有する伝送システムであって、
前記送信側装置は、
ＧＰＳ衛星からの電波に含まれる基準クロックに基づき所定周波数の第１のサンプリングクロックを生成する送信側クロック生成部と、
前記受信側装置へ送信する送信データに重畳されているデータクロックを取り出すクロック抽出部と、
前記第１のサンプリングクロックと前記データクロックとの間の差分を求めるクロック差分取得部と、
前記クロック差分取得部で求められた前記差分の情報をパケット化するパケット生成部とを有し、
前記受信側装置は、
ＧＰＳ衛星からの電波に含まれる基準クロックに基づき所定周波数の第２のサンプリングクロックを生成する受信側クロック生成部と、
前記送信側装置から前記パケット生成部でパケット化された前記差分の情報を受信するパケット受信部と、
前記第２のサンプリングクロックと前記差分の情報とに基づき前記データクロックを再生するクロック再生部とを有する、伝送システム。
【請求項２】
前記送信側装置は、ＧＰＳ衛星からの電波に含まれる時刻情報を受信する時刻情報受信部を更に有し、
前記送信側装置において、前記パケット生成部は、前記差分の情報とともに、前記差分が前記クロック差分取得部で求められた時点の前記時刻情報をパケット化し、
前記受信側装置は、
前記パケット受信部によって受信されるパケットから前記差分の情報及び前記時刻情報を分離して取り出す情報分離部と、
前記情報分離部で取り出された前記時刻情報に基づき、前記受信側クロック生成部で生成された前記第２のサンプリングクロックを、前記送信側装置の前記クロック差分取得部で前記差分が求められた時点に前記送信側クロック生成部で生成された前記第１のサンプリングクロックに一致するよう補正するクロック補正部とを更に有する、請求項１記載の伝送システム。
【請求項３】
前記クロック補正部は、前記受信側クロック生成部で生成される前記第２のサンプリングクロックの経時変化を記憶する記憶部を有する、請求項２記載の伝送システム。
【請求項４】
前記パケット生成部は、前記送信データをパケット化して、前記差分の情報を付加したパケットを生成する、請求項１乃至３のうちいずれか一項記載の伝送システム。
【請求項５】
前記クロック抽出部は、送信対象の時分割多重データに重畳されているデータクロックを取り出すことを特徴とする請求項１乃至３のうちいずれか一項記載の伝送システム。
【請求項６】
時分割多重通信データを、パケット通信により送信する送信側装置と、該送信側装置から送信されたデータを受信するパケット受信側装置とを有する伝送システムであって、
前記送信側装置は、
ＧＰＳ衛星からの電波に含まれる基準クロックに基づき所定周波数の第１のサンプリングクロックを生成する送信側クロック生成部と、
送信対象となる時分割多重データに重畳されているデータクロックを取り出すクロック抽出部と、
送信対象となる時分割多重データの主データを抽出する主データ抽出部と、
前記第１のサンプリングクロックと前記データクロックとの間の差分を求めるクロック差分取得部と、
前記主データ抽出部により抽出された主データをパケット化すると共に、前記クロック差分取得部で求められた前記差分の情報を該パケットに重畳するパケット生成部と、
前記パケット生成部により生成されたパケットを前記パケット受信側装置へ送信する送信部と
を有し、
前記パケット受信側装置は、
ＧＰＳ衛星からの電波に含まれる基準クロックに基づき所定周波数の第２のサンプリングクロックを生成する受信側クロック生成部と、
前記送信側装置から送信されたパケットを受信するパケット受信部と、
前記パケット受信部で受信したパケットから、前記パケット生成部でパケット化された前記差分の情報を分離して取り出す差分情報分離部と、
前記受信側クロック生成部にて生成された第２のサンプリングクロックと前記差分情報分離部により取り出された前記差分の情報とに基づき前記データクロックを再生するクロック再生部と、
前記データクロック再生部により再生されたデータクロックに基づき、前記受信部により受信されたパケットから時分割多重データを再生するデータ再生部と
を有する伝送システム。
【発明の詳細な説明】
【技術分野】
【０００１】
本発明は、データを送信する送信側装置と、該送信側装置からデータを受信する受信側装置とを有する伝送システムに関する。
【背景技術】
【０００２】
近年、ネットワークにおけるコスト削減及び通信速度の高速化等の効率化のため、ネットワークのＩＰ（Internet  Protocol）化が進展している。そのため、旧来のＳＯＮＥＴ（Synchronous  Optical  NETwork；同期光伝送網）／ＳＤＨ（Synchronous  Digital  Hierarchy；同期デジタル・ハイアラーキ）に代表されるＴＤＭ（Time  Division  Multiplex；時分割多重）は、ＩＰへと移行しつつある。このような環境下で、新しいＩＰネットワークに旧来のＴＤＭネットワークを収容する必要性が生じている。その場合に、ＴＤＭ信号は、送信側でパケット化されて、ＩＰネットワークで伝送された後に、受信側で再生される。しかし、このとき、クロック再生が問題となる。
【０００３】
ＴＤＭ信号のセル化は、ＡＴＭ（Asynchronous  Transfer  Mode；非同期転送モード）に従ってＡＬＬ１に規格化された回路エミュレーション技術で実現されている。ＡＴＭは固定長且つ短データ長のセルにより構成されるので、遅延やジッタの影響が小さく、クロック再生は比較的容易であった。一方、ＴＤＭ信号のＩＰ化は、一般に、疑似ワイヤ（Pseudo  Wire）又はＰＷＥ３（Pseudo  Wire  Emulation  Edge  to  Edge）と呼ばれる。ＩＰパケットは固定長ではなく可変長であり、また、近年ではジャンボパケット（〜９６００バイト）が登場している。ＩＰパケットには多種多様なデータが混在し、ネットワークのＱｏＳ（Quality  of  Service）制御も不十分であることから、受信側でのパケット到着間隔はかなりばらつく。受信側でのクロック再生方法としては、受信したデータ量を見てクロックを再生する方法が一般的である。しかし、受信されるパケットの到着時間がばらつくとジッタも大きくなり、再生されるクロックは送信側とは異なる場合がある。特に、パケットが喪失した場合には、クロックは大きくずれることがある。
【０００４】
伝送システムにおいて送信側と受信側におけるサンプリング周波数を一致させる技術は、例えば特開２００６−１５７３６１号公報（特許文献１）に開示される。
【特許文献１】特開２００６−１５７３６１号公報
【発明の開示】
【発明が解決しようとする課題】
【０００５】
上述したように、ＴＤＭ信号のＩＰ化には、受信側でのクロック再生の問題がある。本発明は、このような問題を鑑み、送信側クロックを受信側で高精度に再生可能な伝送システムを提供することを目的とする。
【課題を解決するための手段】
【０００６】
上記目的を達成するために、本発明の一実施例における伝送システムは、データを送信する送信側装置と、該送信側装置からデータを受信する受信側装置とを有する伝送システムであって、前記送信側装置は、ＧＰＳ衛星からの電波に含まれる基準クロックに基づき所定周波数の第１のサンプリングクロックを生成する送信側クロック生成部と、前記受信側装置へ送信する送信データに重畳されているデータクロックを取り出すクロック抽出部と、前記第１のサンプリングクロックと前記データクロックとの間の差分を求めるクロック差分取得部と、前記クロック差分取得部で求められた前記差分の情報をパケット化するパケット生成部とを有し、前記受信側装置は、ＧＰＳ衛星からの電波に含まれる基準クロックに基づき所定周波数の第２のサンプリングクロックを生成する受信側クロック生成部と、前記送信側装置から前記パケット生成部でパケット化された前記差分の情報を受信するパケット受信部と、前記第２のサンプリングクロックと前記差分の情報とに基づき前記データクロックを再生するクロック再生部とを有することができる。
【０００７】
このように、送信側及び受信側で共通の高精度の基準クロックを得る方法としてＧＰＳを用いることで、送信側クロックを受信側で高精度に再生可能な伝送システムを提供することが可能となる。
【発明の効果】
【０００８】
本開示の伝送システムは、受信側での送信側クロックの高精度な再生という効果を奏する。
【発明を実施するための最良の形態】
【０００９】
以下、本発明を実施するための最良の形態について、添付の図面を参照して説明する。
【００１０】
図１は、本発明の実施形態に従う伝送システムの一例である。図１の伝送システム１は、ＩＰネットワーク２を介して接続された端末Ｔ１及びＴ２を有する。端末Ｔ１及びＴ２は、夫々、ＩＰネットワーク２を介して互いにデータをやり取りするための通信装置Ｄ１及びＤ２を備える。通信装置Ｄ１及びＤ２は、図１では端末Ｔ１及びＴ２の外部に設けられているが、端末Ｔ１及びＴ２に内蔵されても良い。また、図１には、簡単のため、端末Ｔ１及びＴ２の２つの端末しか示されないが、実際には、より多くの端末がＩＰネットワーク２を介して接続される。
【００１１】
例えば、端末Ｔ１で生成されたデータは、通信装置Ｄ１によりパケット化され、ＩＰネットワーク２を介して端末Ｔ２へ送信される。端末Ｔ２は、通信装置Ｄ２によってパケット形式から元の形式（例えば、ＴＤＭ信号。）に戻されたデータを受信する。反対に端末Ｔ２から端末Ｔ１へデータが送信される場合も同様である。
【００１２】
図２は、本発明の実施形態に従う送信側の通信装置の構成の一例である。図２の送信側装置１００は、ＧＰＳ（Global  Positioning  System）アンテナ１０、ＧＰＳ受信器１１、クロック差分取得部１２、クロック抽出部１３、データパケット化部１４、及びパケット生成部１５を有する。
【００１３】
ＧＰＳ受信器１１は、ＧＰＳアンテナ１０を介してＧＰＳ衛星から電波を受信することができる。ＧＰＳ受信器１１は、ＧＰＳ衛星からの電波に含まれる時刻情報を受信する時刻情報受信部１１１と、ＧＰＳ衛星からの電波に含まれる基準クロックに基づいて所定周波数のサンプリングクロックを生成するＧＰＳクロック生成部１１２とを有する。ＧＰＳクロック生成部１１２は、例えば、ＰＬＬ（Phase  Locked  Loop）回路を用いて所定周波数を生成することができる。
【００１４】
クロック抽出部１３は、端末（例えば、図１の端末Ｔ１又はＴ２。）で生成されたデータを含むＴＤＭ信号に重畳されたクロックを分離して取り出すことができる。一般に、クロック抽出部１３はＣＤＲ（Clock  Data  Recovery）とも称される。クロック差分取得部１２は、ＧＰＳ受信器１１で生成されたＧＰＳクロックｂと、クロック抽出部１３によって取り出されたＴＤＭクロックｃとの間の差分ｂ−ｃを求めることができる。
【００１５】
データパケット化部１４は、クロック抽出部１３によってＴＤＭ信号から分離されたクロックを除く主データをＴＤＭ信号から抽出し、ＩＰネットワークを介して伝送することが可能となるようパケット化することができる。
【００１６】
パケット生成部１５は、受信側装置へ送信するＩＰパケットを生成することができる。ＩＰパケットは、データパケット化部１４で生成されたデータパケットｄに、クロック差分取得部１３で求められた差分ｂ−ｃの情報（以下、「差分情報」と呼ぶ。）と、差分情報が求められた時点に受信された時刻情報ａとを付加することによって生成される。代替的に、パケット生成部１５は、差分情報ｂ−ｃ及び時刻情報ａをデータパケットｄに付加せずに、それらから、データパケットｄ生成時の時間及びＴＤＭ信号のクロックを表すクロックパケットとしてのＩＰパケットを生成しても良い。
【００１７】
パケット生成部１５で生成されたＩＰパケットは、通信装置の出力に設けられた送信部（図示せず。）によって受信側装置へ送信される。
【００１８】
図３は、本発明の実施形態に従うＩＰパケットの構成の一例である。図３（ａ）は、データパケット化部１４で生成されたデータパケットｄに、差分情報ｂ−ｃ及び差分情報ｂ−ｃが求められた時点の時刻情報ａを付加することによって生成されたＩＰパケットの構成を表す。このＩＰパケットは、先頭のＩＰヘッダと最後尾のＦＣＳ（Frame  Check  Sequence）との間に時刻情報ａ、クロック差分情報ｂ−ｃ及びデータパケットｄを含む。一方、図３（ｂ）は、差分情報ｂ−ｃ及び時刻情報ａからクロックパケットとして生成されたＩＰパケットの構成を表す。このＩＰパケットは、先頭のＩＰヘッダと最後尾のＦＣＳとの間に時刻情報ａ及びクロック差分情報ｂ−ｃを含み、ＴＤＭ信号のパケット化された主データであるデータパケットｄは含まない。この場合に、データパケットｄは別個に送信される。
【００１９】
図４は、本発明の実施形態に従う送信側の通信装置の動作の一例である。図４では、上から、ＧＰＳ受信器１１で受信された時刻情報ａ、ＧＰＳ受信器１１で生成されたＧＰＳクロックｂ、及びクロック抽出部１３によって取り出されたＴＤＭクロックｃが表される。
【００２０】
時刻情報ａは、クロック差分取得部１２で差分情報ｂ−ｃが求められた時点の時刻を表し、例えば、２００８年２月３日１５時００分０５秒を示すとする。ＧＰＳクロックｂは、ＧＰＳ衛星からの電波に含まれる基準クロックに基づいてＧＰＳクロック生成部１１２によって生成される所定周波数のサンプリングクロックであって、例えば、８キロヘルツ（ｋＨｚ）パルスであるとする。ＴＤＭクロックｃは、端末で生成されたデータを含むＴＤＭ信号からクロック抽出部１３によって取り出されたクロック成分であって、例えば、同じく８ｋＨｚパルスであるとする。
【００２１】
クロック差分取得部１２は、ＧＰＳクロックｂの立ち上がりからＴＤＭクロックｃの立ち上がりまでの時間を、ジッタを許容可能な速度の高速クロックでサンプリングすることによって計測することができる。このようにしてクロック差分取得部１２によって計測された時間は、差分情報ｂ−ｃとして出力される。クロック差分取得部１２は、サンプリングのための高速クロックを、高安定ＴＣＸＯ（温度補償型水晶発振器）を用いて実現することができる。高安定ＴＣＸＯによれば、±０．３ｐｐｍ以下の周波数安定度を得ることが可能である。
【００２２】
図２乃至４を参照して記載されるように、送信側の通信装置は、ＴＤＭ信号をパケット化する場合に、その時間及びＴＤＭ信号の周波数（クロック）情報を付加してＩＰパケットを生成することができる。また、送信側通信装置は、ＴＤＭ信号の周波数情報を、ＴＤＭ信号のクロックをＧＰＳの基準クロックと比較することで算出する。ＧＰＳは、一般的に、１×１０−１２以上のクロック精度を有する。
【００２３】
図５は、本発明の実施形態に従う受信側の通信装置の構成の一例である。図５の受信側装置２００は、ＧＰＳ（Global  Positioning  System）アンテナ２０、ＧＰＳ受信器２１、ＩＰパケット受信部２２、ＧＰＳクロック補正部２３、クロック再生部２４、及びバッファ部２５を有する。
【００２４】
ＧＰＳ受信器２１は、ＧＰＳアンテナ２０を介してＧＰＳ衛星から電波を受信することができる。ＧＰＳ受信器２１は、ＧＰＳ衛星からの電波に含まれる時刻情報を受信する時刻情報受信部２１２と、ＧＰＳ衛星からの電波に含まれる基準クロックに基づいて所定周波数のサンプリングクロックを生成するＧＰＳクロック生成部２１２とを有する。
【００２５】
ＧＰＳクロック生成部２１２は、例えば、ＰＬＬ（Phase  Locked  Loop）回路を用いて所定周波数を生成することができる。具体的には、ＧＰＳクロック生成部２１２は、基準クロック受信部２１３、比較カウンタ２１４、クロック誤差取得部２１５、デジタル低域通過フィルタ（ＬＰＦ）２１６、デジタル−アナログ（Ｄ／Ａ）変換器２１７、ＶＣＸＯ（電圧制御水晶発振器）２１８、及び分周器２１９を有する。基準クロック受信部２１３は、ＧＰＳ衛星からの電波に含まれる基準クロックｆを受信することができる。比較カウンタ２１４は、基準クロック受信部２１３で受信される基準クロックｆとＰＬＬ回路の出力信号ｇとの間の位相を比較することができる。クロック誤差取得部２１５は、比較カウンタ２１２による比較結果から、基準クロックｆに対する出力信号ｇの周波数誤差ｆ−ｇを取得することができる。この周波数誤差は、ＬＰＦ２１６を通った後、Ｄ／Ａ変換器２１７でアナログ電圧に変換される。ＶＣＸＯ２１８は、Ｄ／Ａ変換器２１７で変換されたアナログ電圧に応じた周波数を有する信号を出力する。分周器２１９は、ＶＣＸＯ２１８の出力信号ｈの周波数を分周し、比較カウンタ２１２へ供給する。また、ＶＣＸＯ２１８の出力信号ｈは、ＧＰＳクロック生成部２１２から所定周波数のＧＰＳクロックとして出力される。
【００２６】
ＩＰパケット受信部２２は、送信側装置からＩＰネットワークを介して送信されるＩＰパケットを受信することができる。ＩＰパケット受信部２２は、受信したＩＰパケットから時刻情報ａ、差分情報ｂ−ｃ及びデータｄの夫々を分離する時刻情報分離部２２１、差分情報分離部２２２及びデータ分離部２２３を有する。
【００２７】
ＧＰＳクロック補正部２３は、ＧＰＳ受信器２１で生成されたＧＰＳクロックｈを、送信側装置で差分情報ｂ−ｃが求められた時点のＧＰＳクロックｂに一致させるよう補正することができる。ＧＰＳクロック補正部２３は、クロック調整部２３１及び記憶部２３２を有する。記憶部２３２は、ＧＰＳ受信器２１のクロック誤差取得部２１５で取得された周波数誤差ｆ−ｇを、時刻情報受信部２１１で受信された時刻情報ｅと関連付けて単位時間ごとに記憶することができる。クロック調整部２３１は、記憶部２３２から、受信したＩＰパケットから時刻情報分離部２２１によって分離された時刻情報ａを基に、送信側装置で差分情報ｂ−ｃが求められた時刻から受信側装置がＩＰパケットを受信する時刻までの周波数誤差［ｆ−ｇ］を読み出す。クロック調整部２３１は、読み出した周波数誤差［ｆ−ｇ］を用いて、ＧＰＳ受信器２１で生成されたＧＰＳクロックｈを補正することができる。代替的に、通常、ＧＰＳクロックの擾乱はほとんどみられず、補正前後のＧＰＳクロックの差はほぼ零と仮定できるため、ＧＰＳクロック補正部２３は省略可能である。また、記憶部２３２は、ＧＰＳ受信器２１内のメモリ（図示せず。）であっても良い。
【００２８】
クロック再生部２４は、ＧＰＳクロック補正部２３による補正後のＧＰＳクロックｂと、受信したＩＰパケットから差分情報分離部２２２によって分離された差分情報ｂ−ｃとに基づき、ＴＤＭクロックｃを再生することができる。
【００２９】
バッファ部２５は、受信したＩＰパケットからデータ分離部２２３によって分離されたデータｄを一時的に格納することができる。データｄは、クロック再生部２４で再生されたＴＤＭクロックｃに応じてバッファ部２５から端末（例えば、図１の端末Ｔ１又はＴ２。）に送られる。この処理により、受信したパケットから、ＴＤＭクロックに同期したＴＤＭデータの再生が行われることになる。すなわち、バッファ部２５は、データ再生部として働く。バッファ部２５は、例えば、ＦＩＦＯ（First  In  First  Out）メモリであっても良い。
【００３０】
図６は、本発明の実施形態に従うクロック調整部の構成の一例である。図６のクロック調整部２３１は、比較カウンタ２３３、クロック誤差取得及び補正部２３４、デジタルＬＰＦ２３５、Ｄ／Ａ変換器２３６、ＶＣＸＯ２３７、第１の分周器２３８、及び第２の分周器２３９を有する。
【００３１】
第２の分周器２３９は、ＧＰＳ受信器２１で生成されたＧＰＳクロックｈの周波数を分周することができる。第２の分周器２３９は、ＧＰＳ受信器２１のＧＰＳクロック生成部２１２で用いられる分周器２１９と同じ特性を有し、例えば、入力信号の周波数を１／Ｎ（Ｎは正の整数。）にすることができる。よって、第２の分周器２３９の出力信号は、ＧＰＳクロック生成部２１２の分周器２１９と同じく信号ｇである。
【００３２】
比較カウンタ２３３は、第２の分周器２３９の出力信号ｇと第１の分周器２３８の出力信号ｉとの間の位相を比較することができる。クロック誤差取得及び補正部２３４は、比較カウンタ２３３による比較結果から信号ｇ及びｉの間の周波数誤差ｇ−ｉを取得することができる。また、クロック誤差取得及び補正部２３４は、送信側装置で差分情報ｂ−ｃが求められた時刻から受信側装置がＩＰパケットを受信する時刻までの周波数誤差［ｆ−ｇ］を記憶部２３２から読み出すことができる。クロック誤差取得及び補正部２３４は、記憶部２３２から読み出した周波数誤差［ｆ−ｇ］を基に、送信側装置で差分情報ｂ−ｃが求められた時点のＧＰＳクロックｂが得られるよう周波数誤差ｇ−ｉを補正する。
【００３３】
補正後の周波数誤差は、ＬＰＦ２３５を通った後、Ｄ／Ａ変換器２３６でアナログ電圧に変換される。ＶＣＸＯ２３７は、Ｄ／Ａ変換器２３６で変換されたアナログ電圧に応じた周波数を有する信号を出力する。第１の分周器２３８は、ＶＣＸＯ２３７の出力信号ｂの周波数を分周し、比較カウンタ２３３へ供給する。また、ＶＣＸＯ２３７の出力信号ｂは、ＧＰＳクロック補正部２３から補正後のＧＰＳクロックｂとして出力される。
【００３４】
図７は、本発明の実施形態に従う受信側の通信装置の動作の一例である。図７において上から、送信側装置でクロック差分情報ｂ−ｃが取得された時点の時刻情報ａ、ＧＰＳクロックｂ、及びＴＤＭクロックｃを表す。
【００３５】
時刻情報ａは、受信したＩＰパケットから時刻情報分離部２２１によって分離され得、差分情報ｂ−ｃが求められた時点の時刻２００８年２月３日１５時００分０５秒を表す。ＧＰＳクロックｂは、ＧＰＳ受信器２１で生成されたＧＰＳクロックｇをＧＰＳクロック補正部２３で時刻情報ａに基づき補正することによって得られる８ｋＨｚパルスである。ＴＤＭクロックｃは、ＧＰＳクロック補正部２３による補正後のＧＰＳクロックｂと、受信したＩＰパケットから差分情報分離部２２２によって分離された差分情報ｂ−ｃとに基づきクロック再生部２４で得られる８ｋＨｚパルスである。
【００３６】
クロック再生部２４は、ＧＰＳクロックｂの立ち上がりから差分ｂ−ｃを送信側装置と同じ高速クロックでカウントすることによって、ＴＤＭクロックｃを再生することができる。クロック再生部２４は、送信側装置と同じく、高速クロックを高安定ＴＣＸＯを用いて実現することができる。
【００３７】
図５乃至７を参照して記載されるように、受信側の通信装置は、ＧＰＳを利用することで、送信側の通信装置と同期した時刻情報を有する。受信側の通信装置は、送信側から受信したＩＰパケットから、差分情報及び差分情報取得時の時刻、すなわち、ＴＤＭ信号の周波数情報及びＴＤＭ信号のパケット化時の時刻を得ることができる。これらの情報に基づき、受信側の通信装置は、ＴＤＭ信号のクロックを高精度で再生することができる。また、受信側の通信装置は、送信側でＴＤＭ信号がパケット化された時間と、受信側でＩＰパケットが受信された時間との間のＧＰＳ基準クロックの変動を補償することができる。
【００３８】
このように、本実施形態に従う伝送システムは、ＧＰＳを利用することで、受信側で送信側クロックを高精度に再生することができる。原理的には、受信側でのクロック再生において、ＧＰＳの基準クロック以外のジッタは発生しない。また、本実施形態によれば、ＧＰＳ受信器はＬＳＩ化されており、非常に安価であるから、安価で高精度なシステム構築が可能である。
【００３９】
以上、発明を実施するための最良の形態について説明を行ったが、本発明は、この最良の形態で述べた実施の形態に限定されるものではない。本発明の主旨を損なわない範囲で変更することが可能である。
【００４０】
以上の実施形態に関し、更に以下の付記を開示する。
（付記１）
データを送信する送信側装置と、該送信側装置からデータを受信する受信側装置とを有する伝送システムであって、
前記送信側装置は、
ＧＰＳ衛星からの電波に含まれる基準クロックに基づき所定周波数の第１のサンプリングクロックを生成する送信側クロック生成部と、
前記受信側装置へ送信する送信データに重畳されているデータクロックを取り出すクロック抽出部と、
前記第１のサンプリングクロックと前記データクロックとの間の差分を求めるクロック差分取得部と、
前記クロック差分取得部で求められた前記差分の情報をパケット化するパケット生成部とを有し、
前記受信側装置は、
ＧＰＳ衛星からの電波に含まれる基準クロックに基づき所定周波数の第２のサンプリングクロックを生成する受信側クロック生成部と、
前記送信側装置から前記パケット生成部でパケット化された前記差分の情報を受信するパケット受信部と、
前記第２のサンプリングクロックと前記差分の情報とに基づき前記データクロックを再生するクロック再生部とを有する、伝送システム。  
（付記２）
前記送信側装置は、ＧＰＳ衛星からの電波に含まれる時刻情報を受信する時刻情報受信部を更に有し、
前記送信側装置において、前記パケット生成部は、前記差分の情報とともに、前記差分が前記クロック差分取得部で求められた時点の前記時刻情報をパケット化し、
前記受信側装置は、
前記パケット受信部によって受信されるパケットから前記差分の情報及び前記時刻情報を分離して取り出す情報分離部と、
前記情報分離部で取り出された前記時刻情報に基づき、前記受信側クロック生成部で生成された前記第２のサンプリングクロックを、前記送信側装置の前記クロック差分取得部で前記差分が求められた時点に前記送信側クロック生成部で生成された前記第１のサンプリングクロックに一致するよう補正するクロック補正部とを更に有する、付記１記載の伝送システム。
（付記３）
前記クロック補正部は、前記受信側クロック生成部で生成される前記第２のサンプリングクロックの経時変化を記憶する記憶部を有する、付記２記載の伝送システム。  
（付記４）
前記パケット生成部は、前記送信データをパケット化して、前記差分の情報を付加したパケットを生成する、付記１乃至３のうちいずれか一項記載の伝送システム。  
（付記５）
前記送信側クロック生成部はＰＬＬ回路を有する、付記１記載の伝送システム。  
（付記６）
前記受信側クロック生成部はＰＬＬ回路を有する、付記１記載の伝送システム。  
（付記７）
前記クロック抽出部は、送信対象の時分割多重データに重畳されているデータクロックを取り出すことを特徴とする付記１乃至６のうちいずれか一項記載の伝送システム。  
（付記８）
時分割多重通信データを、パケット通信により送信する送信側装置と、該送信側装置から送信されたデータを受信するパケット受信側装置とを有する伝送システムであって、
前記送信側装置は、
ＧＰＳ衛星からの電波に含まれる基準クロックに基づき所定周波数の第１のサンプリングクロックを生成する送信側クロック生成部と、
送信対象となる時分割多重データに重畳されているデータクロックを取り出すクロック抽出部と、
送信対象となる時分割多重データの主データを抽出する主データ抽出部と、
前記第１のサンプリングクロックと前記データクロックとの間の差分を求めるクロック差分取得部と、
前記主データ抽出部により抽出された主データをパケット化すると共に、前記クロック差分取得部で求められた前記差分の情報を該パケットに重畳するパケット生成部と、
前記パケット生成部により生成されたパケットを前記パケット受信側装置へ送信する送信部と
を有し、
前記パケット受信側装置は、
ＧＰＳ衛星からの電波に含まれる基準クロックに基づき所定周波数の第２のサンプリングクロックを生成する受信側クロック生成部と、
前記送信側装置から送信されたパケットを受信するパケット受信部と、
前記パケット受信部で受信したパケットから、前記パケット生成部でパケット化された前記差分の情報を分離して取り出す差分情報分離部と、
前記受信側クロック生成部にて生成された第２のサンプリングクロックと前記差分情報分離部により取り出された前記差分の情報とに基づき前記データクロックを再生するクロック再生部と、
前記データクロック再生部により再生されたデータクロックに基づき、前記受信部により受信されたパケットから時分割多重データを再生するデータ再生部と
を有する伝送システム。
【図面の簡単な説明】
【００４１】
【図１】本発明の実施形態に従う伝送システムの一例である。
【図２】本発明の実施形態に従う送信側の通信装置の構成の一例である。
【図３】本発明の実施形態に従うＩＰパケットの構成の一例である。
【図４】本発明の実施形態に従う送信側の通信装置の動作の一例である。
【図５】本発明の実施形態に従う受信側の通信装置の構成の一例である。
【図６】本発明の実施形態に従うクロック調整部の構成の一例である。
【図７】本発明の実施形態に従う受信側の通信装置の動作の一例である。
【符号の説明】
【００４２】
１      伝送システム
２      ＩＰネットワーク
１００  送信側装置
１０，２０    ＧＰＳアンテナ
１１，２１    ＧＰＳ受信器
１１１，２１１  時刻情報受信部
１１２，２１２  ＧＰＳクロック生成部
１２    クロック差分取得部
１３    クロック抽出部
１４    データパケット化部
１５    パケット生成部
２００  受信側装置
２２    パケット受信部
２２１  時刻情報分離部
２２２  差分情報分離部
２２３  データ分離部
２３    ＧＰＳクロック補正部
２３１  クロック調整部
２３２  記憶部
２４    クロック再生部
２５    バッファ（データ再生部）
ａ      時刻情報
ｂ      ＧＰＳクロック
ｃ      ＴＤＭクロック
ｂ−ｃ  差分情報
ｄ      データ
【図１】
2010062703.tif 000003
【図２】
2010062703.tif 000004
【図３】
2010062703.tif 000005
【図４】
2010062703.tif 000006
【図５】
2010062703.tif 000007
【図６】
2010062703.tif 000008
【図７】
2010062703.tif 000009